(57)【要約】      （修正有）【課題】光エネルギーを吸収可能な蓄電マウスパッドを提供する。【解決手段】座体２に設けたソーラーパネル３により外界で照射される光エネルギーを収集して電気エネルギーに変換し、且つ電気エネルギーを蓄電装置２１内に保存して接続ポート４から電源をコンピュータ周辺設備に供給し、省エネルギーの目的を達することができる。【選択図】図２
0003146144.tif 000002
【実用新案登録請求の範囲】
【請求項１】
座体と、外界の光照射エネルギーを収集し、電気エネルギーに変換するために用いるソーラーパネルと、
前記ソーラーパネルが光線を収集した後に発生する電気エネルギーを保存するための蓄電装置と、
前記蓄電装置が保存した電気エネルギーを出力するために用いる１つまたは１つ以上の接続ポートを含むことを特徴とする、
光エネルギーを吸収可能な蓄電マウスパッド。
【請求項２】
前記ソーラーパネルが単結晶シリコンソーラーパネル、多結晶シリコンソーラーパネル或いは非結晶シリコンソーラーパネル等、関連規格のものであることを特徴とする、請求項１に記載の光エネルギーを吸収可能な蓄電マウスパッド。
【請求項３】
前記ソーラーパネル上に拡散層が設けられ、前記拡散層が外界で照射される光線を均一に散布し、使用上の視覚効果を増加することを特徴とする、請求項１に記載の光エネルギーを吸収可能な蓄電マウスパッド。
【請求項４】
前記拡散層上に反射屈折層を貼付したことを特徴とする、請求項１に記載の光エネルギーを吸収可能な蓄電マウスパッド。
【請求項５】
前記蓄電装置がニッケル水素電池、ニッケルカドミウム電池、炭化水素電池或いはリチウム電池等、関連の電力を保存できるものであることを特徴とする、請求項１に記載の光エネルギーを吸収可能な蓄電マウスパッド。
【請求項６】
前記接続ポートの規格が、ＵＳＢ接続規格、ＰＳ／２接続規格、ＲＳ３２３接続規格、ＩＥＥＥ１３９４接続規格或いは関連の電気信号伝送接続規格のうちのいずれかであることを特徴とする、請求項１に記載の光エネルギーを吸収可能な蓄電マウスパッド。
【考案の詳細な説明】
【技術分野】
【０００１】
本考案は光エネルギーを吸収可能な蓄電マウスパッドに関し、特に、外界の光照射エネルギーを電気エネルギーに変換して保存することができる、光エネルギーを吸収可能な蓄電マウスパッドに関するものである。
【背景技術】
【０００２】
科学技術の発達と情報の普及で、コンピュータは現今すでに人々が欠かすことのできないツールとなっている。
デスクトップ型コンピュータまたはノートブック型コンピュータを問わず、その周辺製品の進化と研究開発は日進月歩である。
マウスを例とすると、早期のローラー式マウスはボールで移動位置を検知する必要があり、その検知速度の反応が比較的遅く、且つ故障率が高い。
現在の発展した光学式マウスは、光により移動位置を検知するものであるため、反応速度が速く、また故障率も低くなっている。
しかしながら、光学式マウスは光によって検知を行う必要があるため、一般の机の上面や透明材質の物品上で使用すると、マウスの光線を効果的に反射することができず、マウスの使用が困難になるため、マウスパッドの重要性が大きく高まるが、一般的なマウスパッドは材質、外観、快適性のみを重視しており、その他使用上の付加機能を提供することはできない。
【０００３】
このため、如何にして上述した問題を解決することが本考案の解決すべき技術的課題である。
【考案の開示】
【考案が解決しようとする課題】
【０００４】
本考案は上述した欠点に鑑みて成されたもので、関連資料を収集し、多方面の評価と考慮を経て、かつ関連産業に従事した長年の経験に基づき、度重なる試作と変更を経て、ついにこの周囲の光の照射を電気エネルギーに変換して保存し、運用することができるマウスパッドの実用新案の開発に至ったものである。
【０００５】
本考案の主な目的は、ソーラーパネルにより環境周辺の光の照射エネルギーを吸収して電気エネルギーに変換し、且つ蓄電装置内に保存すると共に、接続ポートを介して電力を出力し、太陽エネルギーマウスパッドがコンピュータ周辺設備に電力供給を行うことができるようにするという目的を達することができる、光エネルギーを吸収可能な蓄電マウスパッドを提供することにある。
【０００６】
本考案の別の目的は、前記ソーラーパネル上にさらに拡散層を設け、該拡散層により外界が照射する一部の光線を均一に散布し、ソーラーパネル全体が均一に外界の光線を吸収して利用できるようにして最良のエネルギー吸収効果を達することができる、光エネルギーを吸収可能な蓄電マウスパッドを提供することにある。
【課題を解決するための手段】
【０００７】
本考案の光エネルギーを吸収可能な蓄電マウスパッドは、座体に設けたソーラーパネルにより外界で照射される光エネルギーを収集して電気エネルギーに変換し、且つ電気エネルギーを蓄電装置内に保存して接続ポートから電源をコンピュータ周辺設備に供給し、省エネルギーの目的を達することができる。
すなわち、本願の第１の考案は、座体と、外界の光照射エネルギーを収集し、電気エネルギーに変換するために用いるソーラーパネルと、前記ソーラーパネルが光線を収集した後に発生する電気エネルギーを保存するための蓄電装置と、前記蓄電装置が保存した電気エネルギーを出力するために用いる１つまたは１つ以上の接続ポートを含むことを特徴とする、光エネルギーを吸収可能な蓄電マウスパッドを提供する。
本願の第２の考案は、前記ソーラーパネルが単結晶シリコンソーラーパネル、多結晶シリコンソーラーパネル或いは非結晶シリコンソーラーパネル等、関連規格のものであることを特徴とする、前記第１の考案の光エネルギーを吸収可能な蓄電マウスパッドを提供する。
本願の第３の考案は、前記ソーラーパネル上に拡散層が設けられ、前記拡散層が外界で照射される光線を均一に散布し、使用上の視覚効果を増加することを特徴とする、前記第１の考案の光エネルギーを吸収可能な蓄電マウスパッドを提供する。
本願の第４の考案は、前記拡散層上に反射屈折層を貼付したことを特徴とする、前記第１の考案の光エネルギーを吸収可能な蓄電マウスパッドを提供する。
本願の第５の考案は、前記蓄電装置がニッケル水素電池、ニッケルカドミウム電池、炭化水素電池或いはリチウム電池等、関連の電力を保存できるものであることを特徴とする、前記第１の考案の光エネルギーを吸収可能な蓄電マウスパッドを提供する。
本願の第６の考案は、前記接続ポートの規格が、ＵＳＢ接続規格、ＰＳ／２接続規格、ＲＳ３２３接続規格、ＩＥＥＥ１３９４接続規格或いは関連の電気信号伝送接続規格のうちのいずれかであることを特徴とする、前記第１の考案の光エネルギーを吸収可能な蓄電マウスパッドを提供する。
【考案を実施するための最良の形態】
【０００８】
上述の目的及び効果を達するため、本考案が採用する技術手段及び構造について、以下図面を参照品ながら本考案の最良の実施例について詳しく説明する。
【０００９】
図１と図２に本考案に係る蓄電マウスパッドの立体外観図と立体分解図をそれぞれ示す。
これらの図からはっきりと分かるように、太陽エネルギーマウスパッド１は主に座体２、蓄電装置２１、ソーラーパネル３、接続ポート４から構成される。
前記蓄電装置２１は前記座体２の内側に設置される。
該座体２の一側面にはさらに１つまたは１つ以上のＵＳＢ接続規格、ＰＳ／２接続規格、ＲＳ３２３接続規格、ＩＥＥＥ１３９４接続規格または関連の電気信号伝送接続規格のうちのいずれかとすることができる接続ポート４が設けられる。
また、前記座体２上に単結晶シリコンソーラーパネル、多結晶シリコンソーラーパネル或いは非結晶シリコンソーラーパネル等関連規格のソーラーパネル３が設置される。
ソーラーパネル３上には拡散層３１が設けられ、該拡散層３１上に光学式マウスそのものの赤外線を屈折し、光学式マウスに反射することができる反射屈折層３２が貼付される。
【実施例１】
【００１０】
図２、図３、図４に本考案の最良の実施例図を示す。
これらの図からはっきりと分かるように、太陽エネルギーマウスパッド１とマウス５を組み合わせて使用するときは、太陽エネルギーマウスパッド１上に設けたソーラーパネル３が、周囲で使用するテーブルランプ、電気スタンド、蛍光灯、その他照明装置の光照射エネルギーを電気エネルギーに変換し、且つ座体２一側内部のニッケル水素電池、ニッケルカドミウム電池、炭化水素電池或いはリチウム電池等関連の電力を保存できる蓄電装置２１に保存する。
さらに、ソーラーパネル３上に設けた拡散層３１により、外界で照射される光線と光学式マウス５そのものの底部の光センサ光線を均一に散布し、ソーラーパネル３の各部分すべてが吸収利用できるようにする。
【実施例２】
【００１１】
図５、図６、図７に本考案の別の実施例図を示す。
これらの図からはっきりと分かるように、太陽エネルギーマウスパッド１一側に設けた接続ポート４には照明設備６、小型ファン７、再生装置のスピーカー８を接続することができる。
座体２内部の電気エネルギーがすでに保存された蓄電装置２１が電力を提供する。
太陽エネルギーマウスパッド１はマウスを組み合わせた応用だけでなく、一部のコンピュータ周辺設備や装置にも応用することができ、省エネルギーと環境保護の目的を達することができる。
【図面の簡単な説明】
【００１２】
【図１】本考案の立体外観図である。
【図２】本考案の立体分解図である。
【図３】本考案の最良の実施例図１である。
【図４】本考案の最良の実施例図２である。
【図５】本考案の別の実施例図１である。
【図６】本考案の別の実施例図２である。
【図７】本考案の別の実施例図３である。
【符号の説明】
【００１３】
１        太陽エネルギーマウスパッド
２        座体
２１      蓄電装置
３        ソーラーパネル
３１      拡散層
３２      反射屈折層
４        接続ポート
５        マウス
６        照明設備
７        小型ファン
８        スピーカー
【図１】
0003146144.tif 000003
【図２】
0003146144.tif 000004
【図３】
0003146144.tif 000005
【図４】
0003146144.tif 000006
【図５】
0003146144.tif 000007
【図６】
0003146144.tif 000008
【図７】
0003146144.tif 000009